(57)【要約】【課題】冷媒管や換気ホース等の可撓性長尺体の施工条件によっては邪魔になる化粧カバー本体の換気部の脱着作業を、化粧カバー本体を取り外すこと無く一連の流れで能率良く容易に行う。【解決手段】壁体の貫通孔を通して外壁面２ａに沿う姿勢で導出された可撓性長尺体１の屈曲部分を覆う状態で外壁面に固定される化粧カバー本体Ａのうち、貫通孔に相対向する天井壁部５Ａに多数の換気孔６ａを備えた換気部６が形成されているとともに、化粧カバー本体Ａの天井壁部５Ａの外面には、これとの間において換気孔６ａと外部とを連通するための換気路を形成する換気カバー７が脱着自在に設けられ、更に、換気部６が化粧カバー本体Ａの天井壁部５Ａに形成された換気口部に対して外方側から脱着可能に構成され、換気部６を装着姿勢に維持する装着維持手段Ｂが設けられている。【選択図】図３
2008175510.tif 000002
【特許請求の範囲】
【請求項１】
壁体の貫通孔を通して外壁面に沿う姿勢で導出された可撓性長尺体の屈曲部分を覆う状態で外壁面に固定される化粧カバー本体のうち、前記貫通孔に相対向する天井壁部に多数の換気孔を備えた換気部が形成されているとともに、前記化粧カバー本体の天井壁部の外面には、これとの間において前記換気孔と外部とを連通するための換気路を形成する換気カバーが脱着自在に設けられている長尺体用化粧カバーであって、
前記換気部が化粧カバー本体の天井壁部に形成された換気口部に対して外方側から脱着可能に構成されているとともに、前記換気部を装着姿勢に維持する装着維持手段が設けられている長尺体用化粧カバー。
【請求項２】
前記装着維持手段には、前記天井壁部の換気口部内側の被係合部に係合する状態で換気部に設けられた係止爪が備えられている請求項１記載の長尺体用化粧カバー。
【請求項３】
前記装着維持手段には、前記換気部に形成された貫通孔又は切欠き部を通して前記天井壁部の換気口部内側の被係合部に係合する状態で換気カバーに設けられた係止爪が備えられている請求項１又は請求項２記載の長尺体用化粧カバー。
【請求項４】
前記装着維持手段には、前記天井壁部の換気口部に装着された換気部の離脱を規制する離脱規制部が備えられ、この離脱規制部が、前記化粧カバー本体の天井壁部のネジ受け部にネジ止めされる換気カバーのネジ止め部に形成されている請求項１〜３のいずれか１項に記載の長尺体用化粧カバー。
【請求項５】
前記化粧カバー本体の天井壁部には、前記換気口部の中心線を回動中心として換気カバーを回動自在に案内する回動ガイド手段が設けられている請求項１〜４のいずれか１項に記載の長尺体用化粧カバー。
【請求項６】
前記回動ガイド手段が、前記天井壁部の換気口部を構成する状態で天井壁部の外面より突出する円筒状の換気筒部と、この換気筒部の外周面に沿って相対回動自在に摺接する換気カバーの摺接ガイド面と、前記換気筒部の内周面に沿って相対回動自在に摺接する状態で換気カバーに形成されたガイド片から構成されている請求項５記載の長尺体用化粧カバー。
【請求項７】
前記換気筒部の突出端面に開口形成された円環状溝が、前記換気カバーのネジ止め部と対向するネジ受け部に構成されている請求項６記載の長尺体用化粧カバー。
【請求項８】
前記化粧カバー本体の天井壁部のネジ受け部と前記換気カバーのネジ止め部との対向面間に、前記換気カバーのネジ止め部を通してネジ受け部にネジを捻じ込むことに伴って発生する切屑の貯留空間が形成されている請求項１〜７のいずれか１項に記載の長尺体用化粧カバー。
【発明の詳細な説明】
【技術分野】
【０００１】
本発明は、換気機能を備えた空調用室内ユニットと空調用室外ユニットとの間に配設される冷媒管やドレンホース、換気ホース、電気配線等の可撓性長尺体を室外側で覆う化粧カバー処理技術に関し、より詳しくは、壁体の貫通孔を通して外壁面に沿う姿勢で導出された可撓性長尺体の屈曲部分を覆う状態で外壁面に固定される化粧カバー本体のうち、前記貫通孔に相対向する天井壁部に多数の換気孔を備えた換気部が形成されているとともに、前記化粧カバー本体の天井壁部の外面には、これとの間において前記換気孔と外部とを連通するための換気路を形成する換気カバーが脱着自在に設けられている長尺体用化粧カバーに関する。
【背景技術】
【０００２】
この種の長尺体用化粧カバーでは、前記化粧カバー本体の天井壁部に形成された換気部の多数の換気孔により、虫等の侵入を阻止しながら化粧カバーの外面と換気カバーの内面との間に形成されている換気路を通して室内換気を行うことができるとともに、前記換気部の換気孔を通しての雨水等の侵入も換気カバーにて抑制することができる反面、室内側から導出される換気ホースの最大導出位置が換気部によって制限されるため、換気ホースの種類や大きさ等によっては使用することができなくなる事態が発生していた。
【０００３】
そのため、この種の長尺体用化粧カバーにおいては、前記天井壁部に形成された換気口部の内周縁と多数の換気孔を備えた換気部の外周縁とを繋ぐ繋ぎ部を、ニップル等の簡易切断具で簡単に切断分離可能な脆弱部に構成するとともに、前記換気部自体も、多数の換気孔を形成する格子状又はそれに類似する形態に構成して、該換気部の一部もニップル等の簡易切断具で簡単に切断分離可能に構成していたが、その切断分離作業を化粧カバー本体周りの制限された空間において行わなければならず、手間を要していた。
【０００４】
そこで、このような問題点を解決する方法として、前記換気部を、化粧カバー本体の天井壁部に形成された換気口部に対して内方側から脱着可能に構成するとともに、前記換気部の外周縁の複数箇所には、前記天井壁部の換気口部の外面側開口縁に弾性的に係合する係止突起を、前記換気口部の外面側開口縁から係合離脱する係合解除位置に弾性変形操作可能な状態で一体形成した長尺体用化粧カバーが提案されている。
【発明の開示】
【発明が解決しようとする課題】
【０００５】
従来の長尺体用化粧カバーでは、冷媒管や換気ホース等の可撓性長尺体の屈曲部分に対して、前記換気部が取り外された化粧カバー本体を仮装着して、これの天井壁部に形成された換気口部を通して換気ホースの先端等の可撓性長尺体の一部が化粧カバー本体の換気部と干渉するか否かを確認し、干渉しない場合には、換気部を化粧カバー本体の天井壁部に形成された換気口部に装着し、また、換気部の一部が干渉する場合では、その干渉する部位を除去したのちの換気部を天井壁部の換気口部に装着する必要があるが、このとき、前記化粧カバー本体全体が一体成形されているタイプの場合には該化粧カバー本体を取外し、また、前記化粧カバー本体が取付け部材と蓋部材とに分割構成されているタイプの場合には蓋部材を取外して、化粧カバー本体の内方側から換気部を装着したのち、化粧カバー本体又は蓋部材を再び取付けなければならないため、作業性が悪く、化粧カバーの取付け作業に手間取り易い問題がある。
【０００６】
本発明は、上述の実状に鑑みて為されたものであって、その主たる課題は、換気ホース等の可撓性長尺体の一部が化粧カバー本体の換気部と干渉するか否かの確認後における換気部の装着作業を、化粧カバー本体を取り外すこと無く一連の流れで能率良く容易に行うことのできる長尺体用化粧カバーを提供する点にある。
【課題を解決するための手段】
【０００７】
本発明による第１の特徴構成は、壁体の貫通孔を通して外壁面に沿う姿勢で導出された可撓性長尺体の屈曲部分を覆う状態で外壁面に固定される化粧カバー本体のうち、前記貫通孔に相対向する天井壁部に多数の換気孔を備えた換気部が形成されているとともに、前記化粧カバー本体の天井壁部の外面には、これとの間において前記換気孔と外部とを連通するための換気路を形成する換気カバーが脱着自在に設けられている長尺体用化粧カバーであって、
前記換気部が化粧カバー本体の天井壁部に形成された換気口部に対して外方側から脱着可能に構成されているとともに、前記換気部を装着姿勢に維持する装着維持手段が設けられている点にある。
【０００８】
上記特徴構成によれば、冷媒管や換気ホース等の可撓性長尺体の屈曲部分に対して換気部が取り外された化粧カバー本体を取付けて、これの天井壁部に形成された換気口部を通して換気ホースの先端等の可撓性長尺体の一部が化粧カバー本体の換気部と干渉するか否かを確認し、干渉しない場合には、換気部をそのまま化粧カバー本体の換気口部に対して外方側から装着することができ、また、換気部の一部が干渉する場合でも、その干渉する部位を除去したのちの換気部をそのまま天井壁部の換気口部に対して外方側から装着することができる。
【０００９】
従って、可撓性長尺体の一部が化粧カバー本体の換気部と干渉するか否かの確認後における換気部の装着作業を、化粧カバー本体を取り外すこと無く一連の流れで能率良く容易に行うことができる。
【００１０】
本発明による第２の特徴構成は、前記装着維持手段に、前記天井壁部の換気口部内側の被係合部に係合する状態で換気部に設けられた係止爪が備えられている点にある。
【００１１】
上記特徴構成によれば、前記化粧カバー本体の天井壁部に形成されている換気口部に対して多数の換気孔を備えた換気部を取付ける場合、前記換気部に設けられた係止爪を外方側から換気口部内を通して被係合部に係合させるだけで済み、換気部の装着作業を能率良く容易に行うことができる。
【００１２】
本発明による第３の特徴構成は、前記装着維持手段に、前記換気部に形成された貫通孔又は切欠き部を通して前記天井壁部の換気口部内側の被係合部に係合する状態で換気カバーに設けられた係止爪が備えられている点にある。
【００１３】
上記特徴構成によれば、前記化粧カバー本体の天井壁部に形成されている換気口部に対して多数の換気孔を有する換気部を取付ける場合、前記換気カバーに設けられた係止爪を、前記換気部に形成された貫通孔又は切欠き部を通して天井壁部の換気口部内側の被係合部に係合させることにより、前記換気カバーを化粧カバー本体に取付けると同時に、換気部の抜け落ちを防止した状態で化粧カバー本体に取付けることができるから、換気部及び換気カバーの装着作業を能率良く容易に行うことができる。
【００１４】
本発明による第４の特徴構成は、前記装着維持手段に、前記天井壁部の換気口部に装着された換気部の離脱を規制する離脱規制部が備えられ、この離脱規制部が、前記化粧カバー本体の天井壁部のネジ受け部にネジ止めされる換気カバーのネジ止め部に形成されている点にある。
【００１５】
上記特徴構成によれば、前記化粧カバー本体の天井壁部のネジ受け部に換気カバーのネジ止め部をネジ止めしたとき、前記換気カバーのネジ止め部に形成された離脱規制部により、前記天井壁部の換気口部に装着された換気部の外方側への離脱を確実に阻止することができるとともに、前記換気カバーのネジ止め部を利用して離脱規制部を形成するだけの簡単、かつ安価な改造をもって前記装着維持手段を構成することができる。
【００１６】
本発明による第５の特徴構成は、前記化粧カバー本体の天井壁部には、前記換気口部の中心線を回動中心として換気カバーを回動自在に案内する回動ガイド手段が設けられている点にある。
【００１７】
上記特徴構成によれば、前記化粧カバー本体の天井壁部の換気口部に対して換気カバーを自由に回動操作することができるから、換気カバーを抜き差ししながら向き姿勢変更する場合に比して換気カバーの姿勢変更操作を迅速・容易に行うことができる。
【００１８】
本発明による第６の特徴構成は、前記回動ガイド手段が、前記天井壁部の換気口部を構成する状態で天井壁部の外面より突出する円筒状の換気筒部と、この換気筒部の外周面に沿って相対回動自在に摺接する換気カバーの摺接ガイド面と、前記換気筒部の内周面に沿って相対回動自在に摺接する状態で換気カバーに形成されたガイド片から構成されている点にある。
【００１９】
上記特徴構成によれば、前記天井壁部の換気口部を構成する状態で天井壁部の外面より突出する円筒状の換気筒部の外周面を利用した換気カバーの摺接ガイド面による回動ガイド作用と、前記換気筒部の内周面に沿って摺接する換気カバーのガイド片による回動ガイド作用とにより、構造の簡素化とコンパクト化を図りながら換気カバーの姿勢変更操作をスムーズに行うことができる。
【００２０】
本発明による第７の特徴構成は、前記換気筒部の突出端面に開口形成された円環状溝が、前記換気カバーのネジ止め部と対向するネジ受け部に構成されている点にある。
【００２１】
上記特徴構成によれば、前記換気カバーの姿勢変更操作をスムーズに行うための換気筒部に形成された円環状溝を利用してネジ受け部を構造面で有利に構成することができるばかりでなく、前記天井壁部の換気口部に対して換気カバーを回動範囲の任意の位置で簡単、確実にネジ止めすることができる。
【００２２】
本発明による第８の特徴構成は、前記化粧カバー本体の天井壁部のネジ受け部と前記換気カバーのネジ止め部との対向面間に、前記換気カバーのネジ止め部を通してネジ受け部にネジを捻じ込むことに伴って発生する切屑の貯留空間が形成されている点にある。
【００２３】
上記特徴構成によれば、前記化粧カバー本体の天井壁部のネジ受け部と前記換気カバーのネジ止め部との対向面間に形成された貯留空間内に、前記換気カバーのネジ止め部を通してネジ受け部にネジを捻じ込むことに伴って発生する切屑を貯留することができるから、前記換気カバーを隙間のない状態で化粧カバー本体の天井壁部に取付けることができる。
【発明を実施するための最良の形態】
【００２４】
〔第１実施形態〕
図１〜図９は、換気機能を備えた空調用室内ユニットと空調用室外ユニットとの間に配設される冷媒管１Ａやドレンホース、換気ホース１Ｂ、電気配線等の可撓性の配管配線類（可撓性長尺体の一例）１を室外側で覆う化粧カバーを示し、躯体（構造体）である壁体２の貫通孔３を通して外壁面２ａに沿う姿勢で導出された配管配線類１の屈曲部分１ａを覆う筒状の合成樹脂製の化粧カバー本体Ａの天井壁部５Ａのうち、前記貫通孔３に相対向する部位に、多数のスリット状の換気孔６ａを備えた隅丸矩形状の換気部６が形成されているとともに、前記化粧カバー本体Ａの天井壁部５Ａの外面には、これとの間において前記換気孔６ａと外部とを連通するための略Ｌ字状の換気路９を形成する合成樹脂製の換気カバー７が脱着自在に装着され、更に、前記換気部６が前記化粧カバー本体Ａの天井壁部５Ａに形成された換気口部８に対して外方側から脱着可能に構成され、この換気部６を装着姿勢に維持する装着維持手段Ｂが設けられている。
【００２５】
前記化粧カバー本体Ａは、図１〜図５に示すように、底壁部側に形成される配管配線類１用の導入口１１を横断する位置を分割起点とし、外壁面２ａに沿って配設される別の直管状の合成樹脂製の配管カバー１２の一端部が嵌合状態で差し込み接続される接続端部の高さ方向中間位置を分割終点とする側面視変形への字状の分割ラインに沿って、上向きに開口する横断面形状が扁平Ｕの字状の取付け部材４と、これの上方及び前方側を覆う横断面形状が略下向き扁平Ｕの字状の蓋部材５とに分割構成されている。
【００２６】
前記取付け部材４の左右の両側壁部４Ａには、外壁面２ａに当て付けられるフランジ部４Ｂと、前記取付け部材４と蓋部材５とを左右の二箇所で締付け固定するためのネジ部材１３がねじ込まれるネジ受け部としてのネジ受け筒部４Ｃとが一体形成されているとともに、前記取付け部材４の底壁部４Ｄには、壁体２の外壁面２ａに取付けるためのビス等のネジ部材１４用の挿通孔１５が貫通形成されている。
【００２７】
前記蓋部材５の天井壁部５Ａのうち、前端から接続端部の近くまで亘る広域の天井壁部分５ａが、接続端部における狭域の天井壁部分５ｂよりも外壁面２ａから離れる外方側に隆起形成され、この隆起形成された天井壁部分５ａのうち、前記貫通孔３に相対向する部位には、外周面の先端側輪郭形状が前記換気部６の外周面における基端側輪郭形状と同一に形成され、かつ、換気部６が外方側から脱着自在に装着される換気口部８を構成する隅丸四角筒状の換気筒部５Ｂが、隆起天井壁部分５ａの外面から外方側に突出する状態で一体形成され、この換気筒部５Ｂの突出筒部分の外面と換気カバー７の内面７ａは、互いに筒軸芯方向から密着状態で装着可能なテーパー面に形成されている。
【００２８】
前記蓋部材５の隆起天井壁部分５ａのうち、前記換気筒部５Ｂの突出筒部分の左右外側脇及び前側脇には、換気カバー７の板厚と同一幅の座面５ｄが形成されているとともに、前記蓋部材５の左右の両側壁部５Ｃ及び前壁部５Ｄには、外壁面２ａに当て付けられるフランジ部５Ｅが形成され、更に、前記両側壁部５Ｃには、前記取付け部材４のネジ受け部を構成するネジ受け筒部４Ｃに対して外方側からねじ込まれるビス等のネジ部材１３の頭部が当接する凹状のネジ止め部５Ｆが形成されている。
【００２９】
前記換気筒部５Ｂの各側辺の中央位置には、図５〜図９に示すように、前記蓋部材５と換気カバー７とを左右の二箇所で締付け固定するためのネジ部材１３がねじ込まれるネジ受け部としてのネジ止め用筒部５Ｇが、換気口部８内に突出する状態で一体形成され、この各ネジ止め用筒部５Ｇの外周面における換気口部８内に最も突出する部位が、換気筒部５Ｂの側辺に沿った偏平面５ｇに形成されているとともに、前記換気部６の各側辺の中央位置には、これを前記換気筒部５Ｂの先端面に当接させたとき、前記ネジ止め用筒部５Ｇが入り込む半長円形状の切欠き部６Ａが形成され、更に、前記換気部６の各弧状角部の中央位置には、外方側から換気口部８内への差込に連れてそれの内周面に弾性復元力で軽く圧接されることにより換気部６を装着姿勢に摩擦力で維持する係止爪６Ｂが、その先端側ほど相対向する係止爪６Ｂとの対角線距離が大きくなる傾斜姿勢で一体形成されている。
【００３０】
前記換気カバー７の両側壁部７Ａから天井壁部７Ｃ側に回り込む部位には、図１、図４に示すように、前記換気筒部５Ｂのネジ受け部であるネジ受け筒部５Ｇに対して外方側からねじ込まれるネジ部材１３の頭部が当接する凹状のネジ止め部７Ｄが形成され、このネジ止め部７Ｄには、前記ネジ受け筒部５Ｇの半周面に対して筒軸芯方向から外套状態で換気部６の外面側に近接することにより、前記換気筒部５Ｂの突出筒部分に摩擦力で装着された換気部６の抜け出し移動を接当規制する規制部７Ｅが形成されている。
【００３１】
そして、前記換気部６に形成された前記係止爪６Ｂと前記換気カバー７に形成された前記規制部７Ｅとをもって、前記換気口部８に対して外方側から脱着可能に装着された換気部６を装着姿勢に維持するための前記装着維持手段Ｂが構成されている。
【００３２】
前記装着維持手段Ｂは、換気部６に形成された前記係止爪６Ｂと換気カバー７に形成された記規制部７Ｅとのいずれか一方だけで構成してもよい。
更に、図６の仮想線に示すように、前記係止爪６Ｂを少し長く形成して、前記換気口部８内側の被係合部である換気筒部５Ｂの内側開口縁５ｅに弾性復元力で係合するように構成してもよい。
【００３３】
前記換気カバー７の両側壁部７Ａの内面間寸法は、換気筒部５Ｂの各側辺の長さと同一又は僅かに小に構成されているとともに、換気カバー７の両側壁部７Ａと前壁部７Ｂとが交差する各弧状角部は、換気筒部５Ｂの各弧状角部及び換気部６の各弧状角部と摺接状態で嵌合可能な曲率に構成されていて、図４に示すように、化粧カバー本体Ａと換気カバー７とが同じ向き姿勢にあるきを正規装着姿勢としたとき、詳しくは、化粧カバー本体Ａと換気カバー７との幅方向中央位置を通る中心線同士が合致し、かつ、換気カバー７の外方開口が化粧カバー本体Ａの接続端部側に位置するときを正規装着姿勢としたとき、化粧カバー本体Ａに対して換気カバー７を左側に９０度向き変更した第２装着姿勢と、化粧カバー本体Ａに対して換気カバー７を右側に９０度向き変更した第３装着姿勢と、更に、化粧カバー本体Ａに対して換気カバー７を１８０度向き変更した第４装着姿勢とに選択的に付替え自在に構成されている。
【００３４】
前記換気カバー７の天井壁７Ｃには、換気カバー７内の換気路９に連通する複数のスリット状の第２換気孔１６が貫通形成されているとともに、前記化粧カバー本体Ａの天井壁部５Ａの幅方向両側に突出形成された板状の係止凸部１７と、該係止凸部１７に対して係脱可能な状態で換気カバー７の両側壁部７Ａの一端部側に形成された下向き開口のＶ字状の凹部１８とをもっても、換気カバー７の両側壁部７Ａの幅方向外方への弾性変形を阻止する変形規制手段が構成されている。
【００３５】
〔第２実施形態〕
図１０〜図２２は、可撓性長尺体の一例である配管配線類１を室外側で覆う化粧カバーの別実施形態を示し、壁体２の貫通孔３を通して外壁面２ａに沿う姿勢で導出された配管配線類１の屈曲部分１ａを覆う合成樹脂製の化粧カバー本体Ａの天井壁部２０Ｃのうち、前記貫通孔３に相対向する部位に、多数のスリット状の換気孔６ａを備えた円板状の換気部６が形成されているとともに、前記化粧カバー本体Ａの天井壁部２０Ｃの外面には、これとの間において前記換気孔６ａと外部とを連通するための換気路９を形成する合成樹脂製の換気カバー７が、前記換気部６の中心線周りで回動操作自在ならびに脱着自在に装着され、更に、前記換気部６が前記化粧カバー本体Ａの天井壁部２０Ｃに形成された円筒状の換気口部８に対して外方側から脱着可能に構成され、この換気部６を装着姿勢に維持する装着維持手段Ｂと、前記換気カバー７を換気口部８の中心線を回動中心として回動自在に案内する回動ガイド手段Ｃが設けられている。
【００３６】
前記化粧カバー本体Ａは、図１０〜図１６に示すように、前記換気口部８の中心線Ｙを半径中心とする半円弧状に湾曲形成された前壁部２０Ａと、それの両後端に一体的に連続形成される左右の側壁部２０Ｂとそれらの上端に一体的に連続形成される天井壁部２０Ｃとからなり、前記前壁部２０Ａ及び両側壁部２０Ｂの下端には、壁体２の外壁面２ａに当て付けられる換気口部８の中心線Ｙを半径中心とする円弧状のフランジ部２０Ｄが形成されているとともに、前記フランジ部２０Ｄの左右中央位置には、壁体２の外壁面２ａに化粧カバー本体Ａをビス等で固定するための第１取付け凹部２０Ｅが形成され、更に、前記フランジ部２０Ｄにおける両側壁部２０Ｂの接続口部側に偏倚した部位にも、壁体２の外壁面２ａに化粧カバー本体Ａをビス等で固定するための第２取付け凹部２０Ｆが形成されている。
【００３７】
前記天井壁部２０Ｃのうち、前端から接続端部の近くまで亘る広域の天井壁部分２０ａが、接続端部における狭域の天井壁部分２０ｂよりも壁体２の外壁面２ａから離れる外方側に隆起形成され、この隆起形成された天井壁部分２０ａのうち、前記貫通孔３に相対向する部位には、外周面の先端側輪郭形状が前記換気部６の外周面における基端側輪郭形状と同一に形成され、かつ、前記換気部６が外方側から脱着自在に装着される換気口部８を構成する円筒状の換気筒部２０Ｇが、それの一部が隆起天井壁部分２０ａの外面から外方側に突出する状態で一体形成されている。
【００３８】
前記回動ガイド手段Ｃは、図１６、図１９〜図２２に示すように、前記円筒状の換気筒部２０Ｇと、この換気筒部２０Ｇの外周面２０ｆに沿って相対回動自在に摺接する換気カバー７の摺接ガイド面７Ｆと、換気筒部２０Ｇの内周面２０ｇに沿って相対回動自在に摺接する状態で前記換気カバー７に一体形成された回動ガイド片２２から構成されている。
【００３９】
そして、前記天井壁部２０Ｃの換気口部８を構成する状態で一部が天井壁部２０Ｃの外面より突出する円筒状の換気筒部２０Ｇの外周面２０ｆを利用した換気カバー７の摺接ガイド面７Ｆによる回動ガイド作用と、前記換気筒部２０Ｇの内周面２０ｇに沿って相対回動自在に摺接する状態で換気カバー７に形成されたガイド片２２による回動ガイド作用とにより、構造の簡素化とコンパクト化を図りながら換気カバー７の姿勢変更操作をスムーズに行うことができる。
【００４０】
図２０〜図２２に示すように、前記化粧カバー本体Ａ側の換気筒部２０Ｇの突出端面に開口形成された円環状溝２１を化粧カバー本体Ａ側のネジ受け部に構成するとともに、前記換気カバー７の前壁部７Ｂの左右中央位置には、該換気カバー７の摺接ガイド面７Ｆとガイド片２２との間を通して前記ネジ受け部となる円環状溝２１の任意の位置に捻じ込まれるネジ部材１３の頭部が当接する横断面略半長円形状のネジ止め部７Ｇを形成し、このネジ止め部７Ｇと前記換気筒部２０Ｇの先端面との対向面間には、前記天井壁部２０Ｃにおける換気筒部２０Ｇの外周面２０ｆに連続形成された座面２０ｅに換気カバー７の前壁部７Ｂ及び側壁部７Ａの端面を当接させたとき、前記換気カバー７のネジ止め部７Ｇを通して前記円環状溝２１にネジ部材１３を捻じ込むことに伴って発生する切屑の貯留空間Ｓが形成されている。
【００４１】
前記換気部６の円周方向一箇所には、図１３、図１７、図２２に示すように、前記換気カバー７のネジ止め部７Ｇが入り込み可能な半長円形状の切欠き部６Ｃが形成されているとともに、前記換気部６の外周縁近傍箇所で、前記切欠き部６Ｃから円周方向に４５度偏倚した部位を通る直径方向線分と交差する箇所には、図１５〜図１８に示すように、該換気部６の周壁部６Ｄの先端面６ｂを換気筒部２０Ｇの先端面２０ｃに当接させたとき、前記天井壁部２０Ｃの換気口部８を通して被係合部である換気筒部２０Ｇの内側開口縁２０ｄに係合する第１係止爪２３が一体形成されているとともに、前記換気カバー７の両側壁部７Ａには、図１６、図２０、図２１に示すように、前記天井壁部２０Ｃの座面２０ｅに換気カバー７の前壁部７Ｂ及び側壁部７Ａの端面を当接させたとき、前記換気部６の周方向二箇所に形成された矩形状の貫通孔２４及び前記天井壁部２０Ｃの換気口部８を通して換気筒部２０Ｇの被係合部である内側開口縁２０ｄに係合する第２係止爪２５が一体形成されている。
【００４２】
そして、前記換気部６の周壁部６Ｄの先端面６ｂを換気筒部２０Ｇの先端面２０ｃに当接させたとき、前記天井壁部２０Ｃの換気口部８を通して換気筒部２０Ｇの内側開口縁２０ｄに係合する換気部６の第１係止爪２３と、前記天井壁部２０Ｃの座面２０ｅに換気カバー７の前壁部７Ｂ及び側壁部７Ａの端面を当接させたとき、前記換気部６の周方向二箇所に形成された矩形状の貫通孔２４及び前記天井壁部２０Ｃの換気口部８を通して換気筒部２０Ｇの内側開口縁２０ｄに係合する換気カバー７の第２係止爪２５とをもって、前記換気口部８に対して外方側から脱着可能に装着された換気部６を装着姿勢に維持するための前記装着維持手段Ｂが構成されている。
【００４３】
また、図１９、図２０に示すように、前記換気筒部２０Ｇの外周面２０ｆにおける円周方向に４５度ずつ偏倚する部位には、換気カバー７の前壁部７Ｂの内面の左右中央位置に形成された横断面略半円状の小突条２６ａが小さな弾性復元力で係合する小係合溝２６ｂを形成して、この小突条２６ａと小係合溝２６ｂとで換気カバー７の相対回動操作を許容しながら円周方向の複数位置で仮保持可能な仮保位置持手段２６が構成されている。
尚、その他の構成は、第１実施形態で説明した構成と同一であるから、同一の構成箇所には、第１実施形態と同一の番号を付記してそれの説明は省略する。
【００４４】
〔第３実施形態〕
上述の第２実施形態では、前記天井壁部２０Ｃの座面２０ｅに換気カバー７の前壁部７Ｂ及び側壁部７Ａの端面を当接させたとき、前記換気カバー７の第２係止爪２５を、前記換気部６の周方向二箇所に形成された矩形状の貫通孔２４及び前記天井壁部２０Ｃの換気口部８を通して換気筒部２０Ｇの内側開口縁２０ｄに係合させたが、前記換気部６の貫通孔２４の代わりに、前記換気部６の外周面に開口する状態で切欠き形成された切欠き部を採用してもよい。
【００４５】
〔その他の実施形態〕
（１）上述の第２実施形態では、前記換気口部８に対して外方側から脱着可能に装着された換気部６を装着姿勢に維持するための前記装着維持手段Ｂを、前記天井壁部２０Ｃの換気口部８を通して換気筒部２０Ｇの内側開口縁２０ｄに係合する換気部６の第１係止爪２３と、前記換気部６の周方向二箇所に形成された矩形状の貫通孔２４及び前記天井壁部２０Ｃの換気口部８を通して換気筒部２０Ｇの内側開口縁２０ｄに係合する換気カバー７の第２係止爪２５とから構成したが、これに、第１実施形態における前記換気筒部５Ｂに装着された換気部６の抜け出し移動を接当規制する換気カバー７側の離脱規制部７Ｅを加えて構成してもよく、また、三者のいずれか一つから構成してもよい。
要するに、前記装着維持手段Ｂとしては、換気口部８に対して外方側から脱着可能に装着された換気部６を装着姿勢に維持することのできるものであれば、如何なる構造に構成してもよい。
（２）上述の第２実施形態において、前記換気部６の第１係止爪２３及び前記換気カバー７の第２係止爪２５の各先端部に、外方への引き抜き操作力が加えられたとき、換気筒部２０Ｇの内側開口縁２０ｄとの接当によって係止爪２３，２５を係止解除側に弾性変形させる係止解除カム部を形成して、前記係止爪２３，２５をそれぞれ化粧カバー本体Ａの外方側から係合解除操作可能に構成してもよい。
【図面の簡単な説明】
【００４６】
【図１】本発明の化粧カバーの第１実施形態を示す施工時の断面側面図
【図２】施工時の化粧カバー本体の分割斜視図
【図３】換気部を装着する前の斜視図
【図４】換気カバーを装着する前の斜視図
【図５】換気部及び換気カバーを取り外したときの正面図
【図６】図５におけるＶＩ−ＶＩ線での拡大断面図
【図７】図５におけるＶＩＩ−ＶＩＩ線での拡大断面図
【図８】換気部の拡大正面図
【図９】換気部の拡大平面図
【図１０】本発明の化粧カバーの第２実施形態を示す施工時の断面側面図
【図１１】施工時の化粧カバー本体の分割斜視図
【図１２】換気部を装着する前の斜視図
【図１３】換気カバーを装着する前の斜視図
【図１４】換気カバーを９０度回動させたときの要部の斜視図
【図１５】（イ）、（ロ）換気部の装着前と装着後の断面背面図
【図１６】（イ）、（ロ）換気カバーの装着前と装着後の断面背面図
【図１７】換気部の拡大平面図
【図１８】換気部の拡大正面図
【図１９】化粧カバー本体の平面図
【図２０】換気カバーの底面図
【図２１】化粧カバー本体と換気部及び換気カバーの断面側面図
【図２２】要部の拡大断面図
【符号の説明】
【００４７】
Ａ        化粧カバー本体
Ｂ        装着維持手段
Ｃ        回動ガイド手段
Ｓ        貯留空間
Ｙ        中心線
１        可撓性長尺体（可撓性配管配線類）
１ａ      屈曲部分
２        壁体
２ａ      外壁面
３        貫通孔
５Ａ      天井壁部
５Ｇ      ネジ受け部（ネジ受け筒部）
６        換気部
６ａ      換気孔
７        換気カバー
７Ｄ      ネジ止め部
７Ｅ      離脱規制部
７Ｆ      摺接ガイド面
７Ｇ      ネジ止め部
７Ｈ      ネジ受け部
８        換気口部
９        換気路
１３      ネジ部材
２０Ｃ    天井壁部
２０Ｇ    換気筒部
２０ｄ    被係合部（内側開口縁）
２１      円環状溝
２２      ガイド片
２３      係止爪（第１係止爪）
２５      係止爪（第２係止爪）
２７      切欠き部
【図１】
2008175510.tif 000003
【図２】
2008175510.tif 000004
【図３】
2008175510.tif 000005
【図４】
2008175510.tif 000006
【図５】
2008175510.tif 000007
【図６】
2008175510.tif 000008
【図７】
2008175510.tif 000009
【図８】
2008175510.tif 000010
【図９】
2008175510.tif 000011
【図１０】
2008175510.tif 000012
【図１１】
2008175510.tif 000013
【図１２】
2008175510.tif 000014
【図１３】
2008175510.tif 000015
【図１４】
2008175510.tif 000016
【図１５】
2008175510.tif 000017
【図１６】
2008175510.tif 000018
【図１７】
2008175510.tif 000019
【図１８】
2008175510.tif 000020
【図１９】
2008175510.tif 000021
【図２０】
2008175510.tif 000022
【図２１】
2008175510.tif 000023
【図２２】
2008175510.tif 000024